(57)【要約】【課題】蓄圧器を用いて強力なサイホン排出流を形成することができ、この蓄圧器の容積の小型化を図ることも可能な便器洗浄装置を提供する。【解決手段】リム３へはリムノズル４を介して洗浄水が供給され、トラップ部にはジェットノズル５が設けられている。リムノズル４及びジェットノズル５のいずれにも洗浄水を供給しない非洗浄時に、開閉弁４１，４３を閉、開閉弁４２を開とし、蓄圧器６１に蓄水させる。洗浄に際しては、まずリムノズル４へ所定時間水を供給した後、第１開閉弁４１のみを開とし、第１流路３１のみを介して水道水圧の直圧によってジェットノズル５へ給水し、所定時間ｔが経過すると、第２及び第３開閉弁４２，４３を開とし、蓄圧器６１内の蓄圧水もジェットノズル５へ供給する。【選択図】　図１
2004137857.tif 000002
【特許請求の範囲】
【請求項１】
便鉢のリムに給水するリム給水手段と、トラップ部に臨んだジェット孔に給水するジェット給水手段とを有し、
該リム給水手段は水道配管からの水道水圧によって水をリムに供給するものである便器洗浄装置において、
該ジェット給水手段は、蓄圧器で蓄圧した蓄圧水をジェット孔に供給可能とされていることを特徴とする便器洗浄装置。
【請求項２】
請求項１において、便器洗浄に際し、所要時間ジェット孔に給水し、且つこのジェット孔に給水している時間帯の一部で蓄圧器からジェット孔に蓄圧水を供給するよう構成されていることを特徴とする便器洗浄装置。
【請求項３】
請求項１又は２において、該ジェット給水手段は、
水道配管と該ジェット孔とを連通し、蓄圧器を有しない第１流路と、
水道配管と該ジェット孔とを連通し、前記蓄圧器を有した第２流路と
を有することを特徴とする便器洗浄装置。
【請求項４】
請求項３において、便器洗浄に際し、
まずリム給水手段によって所定時間リムに給水し、
次いでジェット給水手段の第１流路によって所要時間ジェット孔に給水し、且つこの第１流路によってジェット孔に給水している時間帯の一部で該第２流路によってジェット孔に蓄圧水を供給するよう構成されていることを特徴とする便器洗浄装置。
【請求項５】
請求項４において、該第１流路によってジェット孔に給水を開始してから所定の時間が経過した後に該第２流路によるジェット孔への給水を開始することを特徴とする便器洗浄装置。
【請求項６】
請求項３ないし５のいずれか１項において、該ジェット給水手段は、
該第１流路に設けられた第１開閉弁と、
該第２流路の蓄圧器よりも上流側に設けられた第２開閉弁と、
該第２流路の蓄圧器よりも下流側に設けられた第３開閉弁と、
該第１、第２及び第３開閉弁の開閉を制御する制御器と、
を備えていることを特徴とする便器洗浄装置。
【請求項７】
請求項３ないし５のいずれか１項において、該ジェット給水手段は、
該第１流路に設けられた開閉弁と、
該第２流路の蓄圧器よりも上流側に設けられた逆止弁と、
該第２流路の蓄圧器よりも下流側に設けられた第３開閉弁と、
該第１流路及び第２流路の開閉弁の開閉を制御する制御器と、
を備えていることを特徴とする便器洗浄装置。
【請求項８】
請求項１又は２において、該ジェット給水手段は、
水道配管と該ジェット孔とを連通する主流路と、
該主流路に接続流路を介して接続された蓄圧器と
を有することを特徴とする便器洗浄装置。
【請求項９】
請求項８において、
該主流路に逆止弁が設けられ、
該逆止弁よりも下流側に下流側開閉弁が設けられており、
前記接続流路は、該逆止弁と該下流側開閉弁との間の該主流路に接続されており、
該接続流路に蓄圧水用開閉弁が設けられており、
該下流側開閉弁及び蓄圧水用開閉弁の開閉を制御する制御器が設けられていることを特徴とする便器洗浄装置。
【請求項１０】
請求項８において、
該主流路に上流側開閉弁が設けられ、
該上流側開閉弁よりも下流側に下流側開閉弁が設けられており、
前記接続流路は、該上流側開閉弁と該下流側開閉弁との間の該主流路に接続されており、
該接続流路に蓄圧水用開閉弁が設けられており、
該上流側開閉弁、下流側開閉弁及び蓄圧水用開閉弁の開閉を制御する制御器が設けられていることを特徴とする便器洗浄装置。
【請求項１１】
請求項６ないし１０のいずれか１項において、各開閉弁と蓄圧器とのうちの一部又はすべてを共通の設置部材に設置してユニット化してあることを特徴とする便器洗浄装置。
【発明の詳細な説明】
【０００１】
【発明の属する技術分野】
本発明は、洋風便器に洗浄水を供給する便器洗浄装置に係り、特に該洋風便器がサイホンジェット式洋風便器である場合に採用される便器洗浄装置に関する。さらに詳しくは、本発明は、ロータンクやハイタンクなどのタンクを設置せず、水道水の水圧によって洗浄水を洋風便器に供給する便器洗浄装置の改良に関する。
【０００２】
【従来の技術】
従来用いられてきた洋風便器は、便器本体の後部上面にロータンクを設置し、該ロータンク内の水をリム等へ供給するロータンク式のものが多い。
【０００３】
このロータンク式洋風便器は、ロータンクの分だけ後方に出張るところから、近年、ロータンクを省略し、水道水圧によって洗浄水を給水することにより洋風便器の後方出張りを著しく小さくした洋風便器が急速に普及しつつある。この水道水圧による便器洗浄装置にあっては、便鉢内から汚物やペーパーを強力に排出するために、便器のトラップ部にジェット孔から水を噴出させてサイホン排出水流を形成するサイホンジェット式洗浄方式が採用されている。
【０００４】
ところで、水道水圧によって便器に給水する場合、水道水圧が低いと十分な水勢によって洗浄水を便器に供給することができない。この対策として、水道配管の途中に蓄圧器を設けることが特開平７−３００８９１号に記載されている。
【０００５】
【特許文献１】
特開平７−３００８９１号公報
【０００６】
【発明が解決しようとする課題】
特開平７−３００８９１号公報の洋風便器設備にあっては、洋風便器はブローアウト式洋風便器であり、洋風便器に供給される洗浄水の全量を蓄圧器によって蓄圧する必要があり、蓄圧器が大容積のものになる。
【０００７】
本発明は、小型の蓄圧器を用いても十分な排出能力を有した便器洗浄装置を提供することを目的とする。
【０００８】
【課題を解決するための手段】
本発明の便器洗浄装置は、便鉢のリムに給水するリム給水手段と、トラップ部に臨んだジェット孔に給水するジェット給水手段とを有し、該リム給水手段は水道配管からの水道水圧によって水をリムに供給するものである便器洗浄装置において、該ジェット給水手段は、蓄圧器で蓄圧した蓄圧水をジェット孔に供給可能とされていることを特徴とするものである。
【０００９】
かかる本発明の便器洗浄装置は、ジェット孔から噴出する水（好ましくは、この水の一部）のみを蓄圧器によって蓄圧したものであり、リムからの水は蓄圧しないので、蓄圧器の容積が小さくて足りる。
【００１０】
本発明では、ジェット孔に供給される水は、全量が蓄圧器で蓄圧された水であってもよいが、一部の水が蓄圧器で蓄圧された水とすることにより、蓄圧器の容積がさらに小さくて足りるようになる。この場合、便器洗浄に際しては、まずリムに所定時間水を流して鉢面付着物を洗い流し、その後、ジェット孔から水を噴出させてトラップ部にサイホン排出水流を形成する。
【００１１】
このジェット孔から水を噴出させるに際しては、まず蓄圧されていない水を流して比較的緩やかなサイホン排出水流を形成し、比較的排出されやすい沈降性汚物を排出し、その後、ジェット孔から蓄圧水を噴出させてサイホン排出水流を強化し、比較的排出されにくいペーパー等の浮遊物を排出するようにするのが好適である。これにより、蓄圧水の必要量を一段と減少させても十分に汚物やペーパーを便鉢から確実に排出することができる。
【００１２】
【発明の実施の形態】
以下、図面を参照して実施の形態について説明する。図１（ａ）は実施の形態に係る便器洗浄装置を備えた洋風便器設備の斜視図、図１（ｂ）はその電動弁ユニットの構成図、図２（ａ）は洗浄水供給流路の系統図、図２（ｂ）は洗浄水供給流路の給水タイミングチャートである。
【００１３】
陶器製の洋風便器１は、前部に鉢部２を備え、この鉢部２の上部内周にリム３が設けられている。このリム３へはリムノズル４を介して洗浄水が供給される。また、鉢部２のトラップ部には、該トラップ部にサイホン排出流を誘起するための水（ジェット水）を噴出するジェットノズル５が設けられている。このトラップ部は、鉢部２の底部から斜め上方に立ち上がる上昇部と、該上昇部に連なり、下方に立ち下がる立下部とを有しており、この立下部が排水管（図示略）に連なっている。このトラップ構造自体は周知のものである。
【００１４】
トイレルームの壁面には給水管の末端が突出しており、この給水管の末端に止水栓１０が取り付けられている。この止水栓１０は給水ホース１１を介して洋風便器１の後部に設置されたストレーナ１２に接続されている。このストレーナ１２を通過した水は電動弁ユニット２０へ供給可能とされると共に、該ストレーナ１２から分岐した配管１３を介して人体臀部の温水洗浄装置の温水タンク（図示略）へ供給可能とされている。
【００１５】
電動弁ユニット２０は、内部に配置された弁装置２２，２３をモータ２１で駆動し、リムノズル給水配管２４又はジェットノズル給水配管２５へ水を供給する。なお、停電時にも便器を使用できるようにするために、モータ２１の回転軸に手動式の洗浄ハンドル２８が取り付けられている。この電動弁ユニット２０は、カバーケーシング（図示略）内に配置されている。
【００１６】
この電動弁ユニット２０には、リムノズル用給水配管２４内及びジェットノズル用給水配管２５内の負圧をブレークするためのバキュームブレーカ２６，２７が設けられている。このバキュームブレーカ２６，２７は、該給水配管２４又は２５内に負圧が生じたときに開弁して該給水配管２４又は２５内を大気に連通させるよう構成されている。用便（大便）後に洋風便器１に洗浄水を供給するときには、まず弁２２が所定時間開弁してリム３へ洗浄水が供給されて鉢面に付着した汚れがトラップ部へ洗い落とされる。次に、弁２３が所定時間開弁し、ジェットノズル５から水が噴出してトラップ部にサイホンが誘起され、汚水が排水管へ排出される。その後、弁２２が再度所要時間開弁し、トラップ水が貯溜される。
【００１７】
図２の通り、このジェットノズル給水配管２５は第１流路３１と第２流路３２とに分岐し、配管５１にて合流している。該第１流路３１は第１開閉弁４１、減圧弁５０及び配管５１を介してジェットノズル５へ水を供給する。該第２流路３２は、第２開閉弁４２及び第３開閉弁４３を介して該配管５１からジェットノズル５へ水を供給する。
【００１８】
この第２開閉弁４２と第３開閉弁４３との間の第２流路３２は、接続配管６０を介して蓄圧器６１に連通している。この蓄圧器６１は、耐圧性外殻容器内を伸縮性の弾性隔膜によって空気蓄圧室と蓄水室とに区画した公知の構造を有している。第１開閉弁４１及び第３開閉弁４３を閉、第２開閉弁４２を開とした状態で配管２５に電動弁ユニット２０から水が供給されると、水道水圧によって水が蓄圧器６１内に徐々に流入し、水道水圧（静圧）と等しい圧力の水が蓄圧器６１内に貯えられる。第３開閉弁４３が開とされると、この蓄圧器６１内の蓄圧水がジェットノズル５へ供給される。
【００１９】
電動弁ユニット２０及び開閉弁４１，４２，４３は図示しない制御器によって制御される。この制御器へは、洋風便器１の使用者の検知信号及びリモコン（図示略）のフラッシュスイッチ信号が入力され、これらの信号に基づいて電動弁ユニット２０及び開閉弁４１，４２，４３が作動される。
【００２０】
このように構成された便器洗浄装置において、リムノズル４及びジェットノズル５のいずれにも洗浄水を供給しない非洗浄時に、開閉弁４１，４３を閉、開閉弁４２を開とした状態で電動弁ユニット２０がジェットノズル用給水配管２５に所定時間水を供給し、蓄圧器６１に蓄水させる。なお、水道配管からの水道水圧は、水道配管が細い場合などには、多量の吐水に伴ってかなり低い値となる。ところが、蓄圧器６１へは水が少しずつ流入するので、蓄圧器６１内に水道元圧とほぼ等しい水圧にて蓄水させることができる。この実施の形態では、水道元圧が２〜３ｋｇ／ｃｍ２程度であっても十分な排出能力を得ることができる。
【００２１】
便器洗浄を開始する場合、電動弁ユニット２０は、図２（ｂ）の如く、まずリムノズル４へ所定時間水を供給し、便鉢の鉢面に付着した汚れを洗い落す。このとき、第１〜第３開閉弁４１，４２，４３はいずれも閉とされ、リムノズル４にのみ給水され、ジェットノズル５へは給水しない。
【００２２】
リムノズル４への給水を停止した後、第１開閉弁４１のみを開とし、第１流路３１のみを介して水道水圧の直圧によってジェットノズル５へ給水し、ジェットノズル５から比較的緩やかな水勢にて水を噴出させ、トラップ部に比較的緩やかなサイホンを誘起させ、沈殿性固形物など排出され易い汚物を水と共にトラップ部から排水管へ排出する。
【００２３】
第１開閉弁４１が開弁してから所定の時間ｔが経過すると、第２及び第３開閉弁４２，４３が開とされ、蓄圧器６１内の蓄圧水もジェットノズル５へ供給される。これにより、ジェットノズル５からの噴出水量及び水圧が増大し、トラップ部に強力なサイホン排出水流が形成される。これにより、鉢内の水面上あるいは水面付近に浮遊していたペーパーなど流れにくい固形物も速やかに排出される。
【００２４】
なお、蓄圧器６１内の蓄圧水を放出するときには、第２開閉弁４２を閉とし、第３開閉弁４３のみを開としてもよい。
【００２５】
その後、第１〜第３開閉弁４１〜４３が閉弁されると共に、電動弁ユニット２０によるジェットノズル給水用配管２５への給水が停止される。電動弁ユニット２０は、その後、所定時間だけリムノズル４へ給水し、便鉢底部に所要水量のトラップ水を貯留させる。さらにその後、図２（ｂ）には図示されていないが、第２開閉弁４２のみ開とした状態で電動弁ユニット２０がジェットノズル給水用配管２５に給水し、蓄圧器６１に蓄圧水を貯水させる。
【００２６】
このように、この実施の形態によると、蓄圧器６１の蓄圧水がジェットノズル５へ供給されることにより、強力なサイホン排出流を形成することができ、流れにくいペーパー等も確実に排出することが可能となる。
【００２７】
この実施の形態にあっては、サイホン排出初期には水道直結方式の給水のみによってジェットノズル５から水を噴出させ、流れやすい沈降性固形物を排出し、その後、流れにくいペーパー類を強力なサイホン流によって排出させるようにしているので、蓄圧器６１から供給する蓄圧水量が少なくて済み、蓄圧器６１が容積の小さいもので足りるようになる。
【００２８】
なお、上記の遅延時間ｔの長短は蓄圧器６１の容積に応じて選定されることが好ましい。
【００２９】
この実施の形態における第２開閉弁４２は逆止弁であってもよい。
【００３０】
本発明では、開閉弁４１〜４３のいずれか（好ましくは開閉弁４２，４３）と蓄圧器６１を共通の設置部材に設置してユニット化してもよく、このように構成することにより、これらの設置作業を簡易化することが可能となる。これら以外の機器でも適宜ユニット化してもよい。
【００３１】
上記実施の形態では、ジェットノズル給水用配管２５を第１流路３１と第２流路３２とに分岐させているが、図３のように、ジェットノズル給水用の主配管２５Ａをジェットノズル５に直結し、その途中に蓄圧器６１を接続配管６０を介して接続するよう構成してもよい。この主配管２５Ａには、上流側から順次に逆止弁７０、減圧弁５０、下流側開閉弁７１が設けられており、接続配管６０は、減圧弁５０と下流側開閉弁７１との間に接続されている。接続配管６０に蓄圧水用開閉弁７２を設け、蓄圧器６１からの蓄圧水の放出時期を上記実施の形態と同じとなるように制御している。なお、逆止弁７０の代りに開閉弁（上流側開閉弁）を設けてもよい。これらの開閉弁は制御器により開閉制御される。
【００３２】
蓄圧器６１は洋風便器内（例えば台座部の内側）に配置されてもよく、洋風便器外に配置されてもよい。
【００３３】
【発明の効果】
以上の通り、本発明によると、水道水圧によってサイホンジェット式洋風便器を洗浄する場合に、蓄圧器を用いて強力なサイホン排出流を形成することができる。また、本発明によると、この蓄圧器の容積の小型化を図ることも可能である。
【図面の簡単な説明】
【図１】（ａ）図は実施の形態に係る便器洗浄装置を備えた洋風便器設備の斜視図、（ｂ）はその電動弁ユニットの構成図である。
【図２】（ａ）図は洗浄水供給流路の系統図、（ｂ）図は洗浄水供給流路の給水タイミングチャートである。
【図３】別の実施の形態に係る便器洗浄装置の洗浄水流路図である。
【符号の説明】
１　洋風便器
２　鉢部
３　リム
４　リムノズル
５　ジェットノズル
６　便器
７　便蓋
８　便器ボックス
１０　止水栓
１１　給水ホース
１２　ストレーナ
２０　電動弁ユニット
３１　第１流路
３２　第２流路
４１　第１開閉弁
４２　第２開閉弁
４３　第３開閉弁
６１　蓄圧器
７０　逆止弁
７１　下流側開閉弁
７２　蓄圧水用開閉弁
【図１】
2004137857.tif 000003
【図２】
2004137857.tif 000004
【図３】
2004137857.tif 000005